(57)【要約】  本発明は、内容物を収容して運ぶためのデバイスに関し、デバイスは、拡張させて追加の収容空間をその中に提供することができる。デバイスは、デバイスの境界が、その拡張後よりその拡張前において小さい容積を占有するような少なくとも１つの拡張壁と、前述の壁内に配置される制限要素と、拡張機構と、運搬補助附属品とを備え、前述の制限要素が、前述の壁沿いの不均等な膨張、及び前述の壁の過剰な膨張を防止する。
2016524984.tif 000002
【特許請求の範囲】
【請求項１】
拡張させて追加の収容空間をその中に提供することができる、内容物を収容して運ぶためのデバイスであって、
ａ）前記デバイスの境界が、その拡張後よりその拡張前において小さい容積を占有するようになっている、少なくとも１つの拡張壁と、
ｂ）前記壁内に配置された制限要素と、
ｃ）拡張機構と、
ｄ）運搬補助附属品と
を備え、前記制限要素が、前記壁沿いの不均等な膨張、及び前記壁の過剰な膨張を防止する、デバイス。
【請求項２】
ブリーフケースの形状をしている、請求項１に記載のデバイス。
【請求項３】
スーツケースの形状をしている、請求項１に記載のデバイス。
【請求項４】
前記拡張工程が膨張によって実行される、請求項１に記載のデバイス。
【請求項５】
前記拡張機構がポンプを備える、請求項１に記載のデバイス。
【請求項６】
前記ポンプが持ち運び用ハンドルと一体になっている、請求項５に記載のデバイス。
【請求項７】
前記ポンプが手動式である、請求項５に記載のデバイス。
【請求項８】
前記ポンプが電気式又は油圧式である、請求項５に記載のデバイス。
【請求項９】
前記拡張壁が収容空間全体を取り囲む、請求項１に記載のデバイス。
【請求項１０】
前記壁の全てが拡張可能ではない、請求項１に記載のデバイス。
【請求項１１】
前記拡張された壁の間に棚が配置されている、請求項１０に記載のデバイス。
【請求項１２】
前記棚が組み込まれている、請求項１１に記載のデバイス。
【請求項１３】
前記運搬補助附属品が車輪である、請求項１に記載のデバイス。
【請求項１４】
前記運搬補助附属品がハンドルである、請求項１に記載のデバイス。
【請求項１５】
圧力調整器を更に備える、請求項１に記載のデバイス。
【請求項１６】
前記制限手段が繊維である、請求項１に記載のデバイス。
【請求項１７】
前記制限要素がポリエステル製である、請求項１に記載のデバイス。
【請求項１８】
前記制限要素がプラスチック材料製である、請求項１に記載のデバイス。
【請求項１９】
前記制限要素がナイロン製である、請求項１に記載のデバイス。
【請求項２０】
前記制限要素が、ハチの巣形状の格子を備える、請求項１に記載のデバイス。
【請求項２１】
拡張後、収容空間を追加することができる拡張されたデバイスを用いて、内容物を収容して運ぶための方法であって、少なくとも１つの拡張壁、拡張機構、及び運搬補助附属品を提供するステップを含む、内容物を収容して運ぶための方法。
【発明の詳細な説明】
【技術分野】
【０００１】
本発明は、旅行用及び／又は収容用装備に関する。より詳細には、本発明は、運搬用鞄に関し、具体的には、鞄を拡張させるための方法及びデバイスに関する。
【背景技術】
【０００２】
旅行用鞄には、小型のハンドバッグに始まり大型のスーツケースまで多くの種類及び大きさがあるが、追加の内容物に新しい空間を作るために調節することができる鞄の必要性が存在することがある。
【０００３】
従来技術によれば、スーツケースの大きさを拡大するためのいくつかの方法が存在する。多くの拡張可能な物は、互いに連結されており、引き出して、新しいより長い構造を形成するのに適する伸縮可能な部分から拡張性能を得ている。特許文献１に記載されるように、伸縮可能な枠を備えるスーツケースは、調節可能であるが、このような機構は、一方を他方の内部で摺動させるとき、伸縮可能な部分が摩耗を被り、また、枠には、最終的に枠の破損を引き起こす可能性のある一定の圧力及び曲げ応力がかかる。
【０００４】
他の機械的な問題は、特許文献２におけるように、ばね又は持上げ機構を使用するときに発生する。機構を繰り返し作動させると、材料は疲労を被り、この疲労は、長期にわたる周期的応力の結果として、最終的には材料に割れを引き起こす影響を材料に及ぼす。
【０００５】
前記の機械的な問題に加えて、特許文献３には、別の起こり得る機能不良がある。即ち、システムが機械的な運動関連性を有するいくつかの構成要素を含むとき、単一の構成要素が故障している、破損している、又は適所にない場合、システム全体が、機能不全となり、構成要素の数が増加するにつれて、そのような問題を経験する可能性が高くなる。
【０００６】
特許文献４は、単一のデバイスにおけるいくつかの論じている短所、即ち特許文献１におけるような摩耗、圧力、及び曲げ応力、特許文献２におけるような疲労、並びに特許文献３のような構成要素の多さの実例である。それは、構造を壊れ易くする局所的弱点を更に有した複雑な構造になっている。
【先行技術文献】
【特許文献】
【０００７】
【特許文献１】米国特許第７，８７４，４０９号明細書
【特許文献２】欧州特許出願公開第２，０７７，０８０号明細書
【特許文献３】国際公開第２００６／０３９７２５号
【特許文献４】米国特許第５，８１９，８９１号明細書
【発明の概要】
【発明が解決しようとする課題】
【０００８】
したがって、以下の要件、即ち構成要素間の低い摩擦と、構成要素の数の少なさと、疲労を引き起こす周期的運動及び局所的弱点の両方をなくすこととを満たすデバイス及び方法の必要性が存在する。本発明の目的は、従来技術の欠点を克服するデバイス及び方法を提供することである。本発明の他の目的及び利点は、説明が進むにつれて明らかになろう。
【課題を解決するための手段】
【０００９】
本発明は、拡張させて追加の収容空間をその中に提供することができる、内容物を収容して運ぶためのデバイスに関し、デバイスは、少なくとも１つの拡張壁、拡張機構、及び運搬補助附属品を備える。デバイスは、ブリーフケース、スーツケースの形状、又は収容デバイスに適切な任意の別の形状をしていてもよい。用語「拡張壁」は、デバイスの境界を示すように意図されており、境界は、その拡張後よりその拡張前において小さい容積を占有する。デバイスは、場合によって、１つの部品で作られていてもよく、又は２つ以上の部品で作られていてもよい。
【００１０】
拡張工程は、膨張によって実行することができ、拡張機構は、ポンプを備えることもある。そのような場合、ポンプは、持ち運び用ハンドルと一体になっていてもよく、手動式、電気式、油圧式でもよく、又は何らかの別の種類のポンプでもよい。デバイスは、圧力調整器を更に備えることができる。
【００１１】
拡張壁は、収容空間全体を、又はその一部だけを取り囲むことができ、いくつかの例示的実施例では、全ての壁が、拡張可能であるとは限らない。拡張された壁は、それらの間に置かれる棚を受け入れることができ、棚は、作り付けでもよく、又は所望のように置いて、後で取り外してもよい。
【００１２】
運搬補助附属品の２つの実例は、車輪及びハンドルである。しかしながら、運搬に適する何らかの別の収容デバイスのように、任意の他の運搬補助附属品を加えてもよい。
【００１３】
本発明は、拡張後、収容空間を追加することができる拡張されたデバイスを用いて、内容物を収容して運ぶための方法に更に関し、この方法は、少なくとも１つの拡張壁、拡張機構、及び運搬補助附属品を提供することを含む。
【００１４】
図面をより良く理解するために、方向を以下のように決める。
【００１５】
図１から図６に示される第１の実施例では、デバイスの正面は、ハンドルシステムを収納する面である。デバイスの底面は、車輪を備える小さい方の面である。（それに従えば、デバイスの右側、左側、上側、及び裏側も明らかとなる。）
【００１６】
図７から図８、図９から図１０、図１１から図１４、及び図１５にそれぞれ示される第２、第３、第４、及び第５の実施例では、デバイスの上面は、ハンドルシステムを収納する面である。デバイスの正面は、ハンドルの上部に沿う、広い方の面である。
【００１７】
図１６から図１８に示される第６の実施例では、デバイスの上面は、小型持ち運び用ハンドル及び大型ハンドルの両方を備える面である。デバイスの裏面は、大型ハンドルの両方のポールを備える鉛直面である。
【００１８】
図１９から図２４、図２５、及び図２６にそれぞれ示される第７、第８、及び第９の実施例では、デバイスの上面は、ハンドルシステムを収納する面である。正面は、拡張方向と平行な面であり、その方向から、ハンドル及び車輪の両方が示してある。
【図面の簡単な説明】
【００１９】
【図１】本発明の１つの実施例によるデバイスの斜視図である。
【図２】図１のデバイスの側面図である。
【図３】図１のデバイスの背面図である。
【図４】図１のデバイスの斜視図であり、ハンドルが引き出されている。
【図５】図１のデバイスの側面図であり、ハンドルが引き出されている。
【図６】図１のデバイスの背面図であり、ハンドルは、引き出されている。
【図７】本発明の第２の実施例によるデバイスの背面図である。
【図８】図７のデバイスの側面図である。
【図９】本発明の第３の実施例によるデバイスの斜視図である。
【図１０】図９のデバイスの背面図である。
【図１１】本発明の第４の実施例によるデバイスの斜視図である。
【図１２】図１１のデバイスの背面図である。
【図１３】図１１のデバイスの側面図である。
【図１４】図１１のデバイスの上面図である。
【図１５】本発明の第５の実施例によるデバイスの側面図である。
【図１６Ａ】本発明の第６の実施例による拡張前状態にあるデバイスの側面図である。
【図１６Ｂ】拡張後状態にある、図１６Ａのデバイスの側面図である。
【図１７Ａ】拡張前状態にある、図１６Ａのデバイスの斜視図である。
【図１７Ｂ】拡張後状態にある、図１６Ａのデバイスの斜視図である。
【図１８Ａ】拡張前状態にある、図１６Ａのデバイスの正面図である。
【図１８Ｂ】拡張後状態にある、図１６Ａのデバイスの正面図である。
【図１９】本発明の第７の実施例による、わずかに開いた拡張前状態にあるデバイスの正面図である。
【図２０】一部拡張状態にある、図１９のデバイスの正面図である。
【図２１】図２０のデバイスの斜視図であり、内蔵ポンプを示している。
【図２２】ほぼ最終拡張状態にある、図２１のデバイスの斜視図である。
【図２３】拡張状態にある、図１９のデバイスの斜視図であり、デバイスの一部は、デバイスの壁の内部構造を明らかにするために切り取られている。
【図２４】水平方向の切り取り実施後の、図２３のデバイスの上面図である。
【図２５】本発明の第８の実施例による、拡張状態にあるデバイスの斜視図であり、正面カバーは、デバイスの左側に取り付けられている。
【図２６】本発明の第９の実施例によるデバイスの斜視図であり、デバイスは、棚を備えている。
【発明を実施するための形態】
【００２０】
本発明は、拡張可能な鞄、及び鞄を拡張させることができるやり方で鞄の壁を変形させながら、鞄を拡張させるための方法に関する。
【００２１】
この説明の文脈では、鞄は、内容物を収容するのに適する任意のデバイスであり得る。鞄は、例えばスーツケース、ブリーフケース、ハンドバッグ、又はバックパックの形状をしていてもよい。鞄は、以下の部品、即ち任意の数の車輪、持ち運び用ハンドル、伸長可能なハンドル、及び普通の鞄でよく見られる、ジッパーなどの何らかの他の構成要素を備えていてもよい。
【００２２】
いくつかの例示的実施例が図面及び説明の中に示されるが、これらの実施例は、例示目的で提示されているだけであり、本発明を何ら限定するものではない。例えば、図面は、拡張前の元のより小さい形状と、拡張後のより大きい形状のいくつかの実例だけを示しているが、中間の大きさも、起こり得る。例えば、実際の最終の大きさをユーザに決めさせるため、別々に拡張する区分に壁を分割することができる。
【００２３】
図１は、本発明の第１の例示的実施例による、デバイスの斜視図であり、これは、ブリーフケース１０１の形状をした鞄を示す。図２は、図１のデバイスを側面図で示し、ブリーフケースの底の車輪２０１を示している。車輪２０１がより良く見える図が、図３に示され、これは図１のデバイスの背面図である。
【００２４】
図４から図６は、図１のデバイスの異なる図を示し、ハンドル４０１は、４０２で表示される伸長状態にある。図４は、斜視正面図であり、図５は、側面図であり、図６は、正面図である。
【００２５】
鞄を拡張するための１つの方法は、その壁を膨らませることによるものである。壁が十分な（空気などの）気体で充填されると、壁の内側には、少なくとも普通の鞄の場合と同程度に堅固に且つ耐久性を有するように壁を保つのに十分な圧力が存在する。構造が調節可能であるので、壁内部の圧力は、異なる高度での飛行機の気圧など異なる条件で持ちこたえるために、周囲の圧力によって調整することができる。条件が予測可能な場合には、圧力の調整を、予め実行することもできるが、圧力の調整を、圧力調整器を用いて自動的に実行することもできる。
【００２６】
デバイスの構成は、壁の厚みとそれらの内部及び間の空間、デバイスができている材料、鞄の初めの大きさ及び最終的な大きさ、鞄の所望の用途などの多くの要因、並びに鞄の耐久性又はその内容物の安全性に影響を及ぼす何らかの他の要因により決められる。
【００２７】
更に、満足な強度の水準まで壁を満たす、異なる種類の気体を空気の代わりに用いることにより、又は液体、泡、若しくは固体を用いることにより壁を膨張させることができる。壁が膨張されると、壁は、内容物が衝撃で損傷されるのを防止するため緩衝ユニットとして用いることができる。膨張は、手動デバイス、電化製品により、又は望ましい材料を鞄の壁の中の空間に挿入する若しくは押し込むことのできる性能を提供する何らかの別の方法で実行することができる。
【００２８】
図７は、壁が膨張した後の、図１のものに類似する鞄を示しており、鞄をスーツケース７０１などのより大型の鞄に変えている。図７から図１５に示される新しい構成によれば、デバイスの上面は、ハンドル７０３に連結される伸長システム７０２（図４の４０２に類似）を備える面であり、デバイスの正面は、ハンドルの上部に沿う、広い方の膨張面７０４である。図７は、本発明の第２の例示的実施例によるデバイスの正面図であり、鞄の４つの側部全てが、膨張されている。図８は、図７のデバイスの側面図であり、鞄の拡張後の他の２つの壁を示している。
【００２９】
図９は、本発明の第３の例示的実施例によるデバイスの斜視背面図であり、２つの壁だけが膨張されている。ユーザがどの壁を拡張するのかを選択できるようにすることも可能である。このような構成の長所は、図１１から図１４に示される第４の例示的実施例の説明で明瞭となろう。図１０は、図９のデバイスの正面図である。
【００３０】
図１１は、本発明の第４の例示的実施例による、２つの壁だけが拡張されて、２つの壁の間に棚１１０１を配置することができる鞄の使用を示す。このような構造は、クロゼットが設けられていない場合に小型クロゼットとして使用することができるので、又はホテルのクロゼットに全ての物を移動する時間を節約することができるので旅行中に有用であり得る。
【００３１】
この実施例によれば、壁が膨張されていない側部は、シート１１０２により、又はある種の保護面により遮蔽することができる。側部のカバーは、塵又は他の望ましくない粒子若しくは虫の侵入を防止する。図１１のデバイスは、以下の付加的な図に示され、即ち図１２は、正面図であり、図１３は、側面図であり、図１４は、上面図である。
【００３２】
図１５は、本発明の第５の例示的実施例によるデバイスの側面図を示し、この拡張工程は、図７の拡張工程と類似しているが、相違点は、スーツケースの上部の堅固な部分１５０１が、膨張した壁の１つの縁１５０２に軸接続されていて、テーブルとして使用されるようにその下に面１５０３を残しながら、上部の堅固な部分１５０１を開けることができることである。このような応用例は、例えば旅行中にラップトップコンピュータを使用することを望む場合に極めて有用である。
【００３３】
スーツケース１５０１の堅固な部分は、完全に取り外すこともでき、その後別個の鞄又は予備のブリーフケースとしての役目を果たすことができる。その部分は、ユーザが、更に全部の予備の荷物を運ぶ必要なく、手近で貴重な物を運ぶことを可能にする。
【００３４】
前述の実例は全て、拡張の結果、鞄の前面と裏面の間の距離を増大する拡張を表示したが、同じ拡張が、任意の２つの平行面の間で、又は異なる形状の拡張可能な壁、例えば楕円形状の拡張壁の中でさえも起こる場合がある。図１６Ａは、本発明の第６の例示的実施例による、その拡張前状態にあるデバイスの側面図であり、図１６Ｂは、その拡張後状態にある、図１６Ａのデバイスを側面図で示し、拡張の結果、鞄の上面１６０１と底面１６０２の間の距離は、増大している。図１７Ａ及び図１７Ｂは、拡張前状態及び拡張後状態にある、図１６Ａのデバイスの斜視背面図であり、図１８Ａ及び図１８Ｂは、拡張前状態及び拡張後状態にある図１６Ａのデバイスの正面図である。
【００３５】
拡張後により良く調整するため、重量及び大きさが変わっているので、車輪は位置変更することができる。位置変更は、例えばそれを通って車輪が移動するレールを使用して遂行してもよい。
【００３６】
図１９は、本発明の第７の例示的実施例による、わずかに開いた拡張前状態にあるデバイスの正面図であり、壁１９０１は、膨張してなく、鞄１９０２の内部空間内で弛んでいる。更に、壁１９０１は、膨張していない間、鞄１９０１の内壁に一時的に固定されて、収容用の余地を残すことができる。図２０は、一部拡張状態にある、図１９のデバイスの正面図である。一部拡張状態は、例えば壁１９０１の中に空気を挿入するけれども、壁内部の空間を完全には充填しないようにすることで引き起こされる。
【００３７】
図２１に示すように、壁１９０１の拡張は、内蔵ポンプによって実行することもできる。この実施例によれば、ポンプ２１０１は、鞄１９０２の上部分２１０２の内側に設置される。空気は、ポンプ２１０１から壁１９０１の内側で終端するパイプ２１０３を通って、壁１９０１の内側の空間の中に流れることができる。図２２は、ほぼ最終拡張状態にある、図２１のデバイスの斜視図である。
【００３８】
図２３は、拡張状態にある、図１９のデバイスの斜視図であり、デバイスの一部が、壁１９０１の内部構造２３０１を明らかにするために切り取られている。内部構造２３０１は、鞄１９０２の壁沿いの不均等な膨張を防止するように設計された制限要素を備える。
【００３９】
一般に、制限要素は、それらが鞄の拡張壁の容積の大きな変化を制限しさえすれば、どのような形状及び材料のものでもよい。図２３では、制限要素は、壁１９０１のそれぞれの内側に繋がったポリエステル系繊維２３０２であり、それら繊維は所与の長さを有するので、壁がこの長さより広がるのを防止している。図２４は、水平な切り取りを実施した後の、図２３のデバイスの上面図である。
【００４０】
制限要素の別の可能な形状は、ハチの巣形状の網目状であってもよく、これは、幾何学的に強く、圧力に耐える可能性が高い。制限要素を作っている材料の別の実例は、ナイロンである。制限要素の形状及び材料は、膨張時に壁の形状を保つ強い内部構造を提供し、且つ軽量であるように選択される。
【００４１】
図２５は、本発明の第８の例示的実施例による、拡張状態にあるデバイスの斜視図であり、正面カバー２５０１は、デバイスの左側に取り付けられている。正面カバー２５０１などのカバーは、全ての壁が膨張するとは限らない場合、又は全ての壁が可膨張性であるとは限らない場合に使用することができる。カバーは、例えばジッパーによってデバイスに取り付けることができる。
【００４２】
図２６は、本発明の第９の実施例によるデバイスの斜視図であり、デバイスは、図１１のデバイスに類似しているが、３つの膨張した壁２６０２、２６０３、及び２６０４を備える棚２６０１を含む。
【００４３】
当業者には理解されるように、本発明のデバイスは、モノリシックである必要はなく、実際に、組み立てられると閉構造を作り上げることができる、複数の独立して拡張する部分でできていることができる。
【００４４】
前述の説明は全て、説明のために提示されており、本発明を何ら制限するように意図されていない。本発明は、既存の技術を越える著しい長所を提示する。例えば、壁に堅固な拡張機構を使用することを回避しているが、堅固な拡張機構は、異なる部分の摩擦、消耗、及び破損を被ることが多い。更に、本発明は、容易に実行することができる単純な解決策を提供する。更に、膨張による壁の拡張は、結果的に生まれる構造に付加的な強度を提供する。本発明によるデバイスは、非拡張形態でも使用可能であり、したがって、多くのユーザ融通性を提供することができる。更に、充填状態にあるとき、デバイスを拡張させることが可能であり、したがって、デバイス（例えば旅行鞄）の大きさを内容物に適応させることができる。
【図１】
2016524984.tif 000003
【図２】
2016524984.tif 000004
【図３】
2016524984.tif 000005
【図４】
2016524984.tif 000006
【図５】
2016524984.tif 000007
【図６】
2016524984.tif 000008
【図７】
2016524984.tif 000009
【図８】
2016524984.tif 000010
【図９】
2016524984.tif 000011
【図１０】
2016524984.tif 000012
【図１１】
2016524984.tif 000013
【図１２】
2016524984.tif 000014
【図１３】
2016524984.tif 000015
【図１４】
2016524984.tif 000016
【図１５】
2016524984.tif 000017
【図１６Ａ】
2016524984.tif 000018
【図１６Ｂ】
2016524984.tif 000019
【図１７Ａ】
2016524984.tif 000020
【図１７Ｂ】
2016524984.tif 000021
【図１８Ａ】
2016524984.tif 000022
【図１８Ｂ】
2016524984.tif 000023
【図１９】
2016524984.tif 000024
【図２０】
2016524984.tif 000025
【図２１】
2016524984.tif 000026
【図２２】
2016524984.tif 000027
【図２３】
2016524984.tif 000028
【図２４】
2016524984.tif 000029
【図２５】
2016524984.tif 000030
【図２６】
2016524984.tif 000031
【手続補正書】
【提出日】平成27年11月19日(2015.11.19)
【手続補正１】
【補正対象書類名】特許請求の範囲
【補正対象項目名】全文
【補正方法】変更
【補正の内容】
【特許請求の範囲】
【請求項１】
拡張させて追加の収容空間をその中に提供することができる、内容物を収容して運ぶためのデバイスであって、
ａ）前記デバイスの境界が、その拡張後よりその拡張前において小さい容積を占有するように、前記デバイスの拡張を可能にする少なくとも１つの可膨張性の壁と、
ｂ）前記可膨張性の壁内に配置され、前記壁の両方の内側に接触する制限要素と、
ｃ）拡張機構と、
ｄ）運搬補助附属品と
を備え、前記制限要素が、前記壁沿いの不均等な膨張、及び前記壁の過剰な膨張を防止する、デバイス。
【請求項２】
ブリーフケースの形状をしている、請求項１に記載のデバイス。
【請求項３】
スーツケースの形状をしている、請求項１に記載のデバイス。
【請求項４】
前記拡張工程が膨張によって実行される、請求項１に記載のデバイス。
【請求項５】
前記拡張機構がポンプを備える、請求項１に記載のデバイス。
【請求項６】
前記ポンプが持ち運び用ハンドルと一体になっている、請求項５に記載のデバイス。
【請求項７】
前記ポンプが手動式である、請求項５に記載のデバイス。
【請求項８】
前記ポンプが電気式又は油圧式である、請求項５に記載のデバイス。
【請求項９】
前記拡張壁が収容空間全体を取り囲む、請求項１に記載のデバイス。
【請求項１０】
前記壁の全てが拡張可能ではない、請求項１に記載のデバイス。
【請求項１１】
前記拡張された壁の間に棚が配置されている、請求項１０に記載のデバイス。
【請求項１２】
前記棚が組み込まれている、請求項１１に記載のデバイス。
【請求項１３】
前記運搬補助附属品が車輪である、請求項１に記載のデバイス。
【請求項１４】
前記運搬補助附属品がハンドルである、請求項１に記載のデバイス。
【請求項１５】
圧力調整器を更に備える、請求項１に記載のデバイス。
【請求項１６】
前記制限手段が繊維である、請求項１に記載のデバイス。
【請求項１７】
前記制限要素がポリエステル製である、請求項１に記載のデバイス。
【請求項１８】
前記制限要素がプラスチック材料製である、請求項１に記載のデバイス。
【請求項１９】
前記制限要素がナイロン製である、請求項１に記載のデバイス。
【請求項２０】
前記制限要素が、ハチの巣形状の格子を備える、請求項１に記載のデバイス。
【請求項２１】
拡張後、収容空間を追加することができる拡張されたデバイスを用いて、内容物を収容して運ぶための方法であって、前記デバイスの拡張を可能にする少なくとも１つの可膨張性の壁、拡張機構、前記可膨張性の壁内に配置され、前記壁の両方の内側に接触する制限要素、及び運搬補助附属品を提供するステップを含む、内容物を収容して運ぶための方法。
【国際調査報告】
2016524984.tif 000032
2016524984.tif 000033
2016524984.tif 000034